(57)【要約】【課題】メダル投入口から投入口挿入式不正器具を挿入してメダル検出手段を誤動作させることによる不正行為を容易に発見することが可能な遊技機を提供する。【解決手段】前面パネル３の前側に、下向きに形成された横長状のメダル投入口１２と、このメダル投入口１２の後側に沿って立設された後部ガイド板６１とを有する投入口部材１３を配置し、後部ガイド板６１に前後方向の貫通孔６８を１又は複数設け、前面パネル３側に、貫通孔６８の後側に対応して発光手段２０を設けたものである。【選択図】図７
2010042316.tif 000002
【特許請求の範囲】
【請求項１】
前面パネル（３）の前側に、下向きに形成された横長状のメダル投入口（１２）と、該メダル投入口（１２）の後側に沿って立設された後部ガイド板（６１）とを有する投入口部材（１３）を配置した遊技機において、前記後部ガイド板（６１）に前後方向の貫通孔（６８）を１又は複数設け、前面パネル（３）側に、前記貫通孔（６８）の後側に対応して発光手段（２０）を設けたことを特徴とする遊技機。
【請求項２】
図柄表示用の表示窓（９ａ）〜（９ｃ）が設けられた表示パネル部（１０）の前側近傍に前記投入口部材（１３）を配置し、前記発光手段（２０）を前記表示パネル部（１０）の後側に配置したことを特徴とする請求項１に記載の遊技機。
【請求項３】
前記前面パネル（３）に液晶表示手段（８１）を配置し、該液晶表示手段（８１）における前記メダル投入口（１２）の後側の所定領域により前記発光手段（２０）を構成したことを特徴とする請求項１又は２に記載の遊技機。
【請求項４】
前記貫通孔（６８）を、前上がりの傾斜状に形成したことを特徴とする請求項１〜３の何れかに記載の遊技機。
【発明の詳細な説明】
【技術分野】
【０００１】
本発明は、スロットマシン等、遊技媒体としてメダルを用いる遊技機に関するものである。
【背景技術】
【０００２】
遊技媒体としてメダルを用いるスロットマシン等の遊技機には、メダル投入口に投入されたメダルのうち、不適正メダルを返却通路側に案内し、適正メダルのみを内部のメダル貯留部側に流下させるメダル選別手段が設けられている。
【０００３】
このメダル選別手段は、メダル投入口の下流側に設けられ且つメダル投入口に投入されたメダルをメダル貯留部側に流下させる案内通路と、この案内通路上に設けられ且つ不適正メダルを案内通路上から返却通路側に除去する不適正メダル除去手段と、この不適正メダル除去手段よりも下流側に配置され且つ案内通路を流下するメダルを検出する適正メダル検出手段とを備え、不適正メダル除去手段により除去されることなく案内通路を流下した適正メダルを適正メダル検出手段により検出して、その検出個数に基づいて例えばクレジットを加算するようになっている（例えば特許文献１参照）。
【０００４】
なお、適正メダル検出手段は、メダルの流下方向に沿って１又は複数、例えば２個隣接して配置されたフォトセンサ等により構成されており、例えばそれら２つのフォトセンサの検出タイミングが所定条件を満たす場合にのみ正常な検出と判断することにより、不正行為等による誤検出を排除するようになっている。
【先行技術文献】
【特許文献】
【０００５】
【特許文献１】特開２００４−２０６４８５号公報
【発明の概要】
【発明が解決しようとする課題】
【０００６】
上記のようなメダル選別手段を搭載した従来の遊技機では、次のような手口で不正にクレジットを増加させる行為が横行して大きな問題となっている。即ち、この不正行為は、メダル投入口から案内通路に沿って挿入可能な細長薄板状のアーム部の先端に、メダル検出手段の位置に一致するように発光手段等の信号出力部を配置した器具（以下、投入口挿入式不正器具という）を用い、遊技ホールにおいてその器具を密かに遊技機のメダル投入口にセットすると共に信号出力部から所定の信号を出力させてメダル検出手段を誤動作させることにより、メダルを投入することなくクレジットを増加させるものである。
【０００７】
この種の器具を用いた不正行為は、その遊技機に合わせて作られた器具さえあれば誰でも簡単に実行することが可能で、器具がメダル投入口へ挿入されてしまうと周囲からは分かりにくく、発見が難しいという問題点がある。
【０００８】
本発明は、このような従来の問題点に鑑み、メダル投入口から投入口挿入式不正器具を挿入してメダル検出手段を誤動作させることによる不正行為を容易に発見することが可能な遊技機を提供することを目的とする。
【課題を解決するための手段】
【０００９】
本発明は、前面パネル３の前側に、下向きに形成された横長状のメダル投入口１２と、該メダル投入口１２の後側に沿って立設された後部ガイド板６１とを有する投入口部材１３を配置した遊技機において、前記後部ガイド板６１に前後方向の貫通孔６８を１又は複数設け、前面パネル３側に、前記貫通孔６８の後側に対応して発光手段２０を設けたものである。
【発明の効果】
【００１０】
本発明によれば、メダル投入操作中など、後部ガイド板６１の前側がメダル等で塞がれている場合を除き、発光手段２０から発せられた光は後部ガイド板６１の貫通孔６８を前向きに通過し、遊技機の前側から見るとあたかも貫通孔６８が光っているように見える。逆に言えば、前側から見て貫通孔６８が光っているように見えない場合は、後部ガイド板６１の前側がメダルその他のもので塞がれている状態である。従って、例えば遊技ホールの店員は、遊技者がメダル投入操作を行っていないにもかかわらず貫通孔６８が光っていない場合には、メダル投入口１２に投入口挿入式不正器具が挿入されている可能性があると一目で判断できるため、投入口挿入式不正器具による不正行為を容易に発見することが可能である。
【図面の簡単な説明】
【００１１】
【図１】本発明の第１の実施形態を示すスロットマシンの正面図である。
【図２】本発明の第１の実施形態を示すスロットマシンの右側面図である。
【図３】本発明の第１の実施形態を示す投入口部材の正面図である。
【図４】本発明の第１の実施形態を示す投入口部材の平面図である。
【図５】本発明の第１の実施形態を示す投入口部材の分解斜視図である。
【図６】本発明の第１の実施形態を示す投入口部材の分解斜視図である。
【図７】本発明の第１の実施形態を示すスロットマシンの投入口部材近傍の側面断面図である。
【図８】本発明の第１の実施形態を示すスロットマシンの投入口部材近傍の斜視図である。
【図９】本発明の第２の実施形態を示すスロットマシンの投入口部材近傍の側面断面図である。
【発明を実施するための形態】
【００１２】
以下、本発明の実施形態を図面に基づいて詳述する。図１〜図８は、本発明をスロットマシンとして具現化した第１の実施形態を例示している。図１及び図２において、１は遊技機筐体で、前側が開放した矩形箱型の本体ケース２と、この本体ケース２の前側に装着された矩形状の前面パネル３とを備えている。
【００１３】
本体ケース２は、その上下方向略中央部分に内部空間を上下に仕切るように中間支持板４が略水平に配置されており、その中間支持板４上に、図柄表示リール５ａ〜５ｃを左右方向に備えた表示リールユニット６が配置され、中間支持板４よりも下側に、メダル払い出し装置７等が配置されている。
【００１４】
メダル払い出し装置７は、遊技者にメダルを払い出すためのもので、その上部側には、払い出し用のメダルを貯留するメダルホッパー８が設けられている。
【００１５】
前面パネル３は、左右一端側に配置されたヒンジを介して本体ケース２に対して開閉自在に装着されており、その上部側には、本体ケース２内の図柄表示リール５ａ〜５ｃに対応する３つの表示窓９ａ〜９ｃが左右方向に配置された表示パネル部１０が設けられている。
【００１６】
また、表示パネル部１０の下側には、前向き膨出状に形成された操作パネル部１１が横長状に配置されており、その操作パネル部１１の上面側、即ち操作パネル上面板１１ａ上に、遊技媒体としてのメダルを投入可能なメダル投入口１２が下向きに設けられた投入口部材１３、メダル投入口１２の下流側に詰まったメダルを返却させるための返却ボタン１４の他、メダル投入口１２へのメダル投入に代えてクレジットからメダルをベットするための１投入ボタン１５及びマックス投入ボタン１６、獲得したメダルをクレジットするか払い出すかの設定を切り換えるためのクレジット精算ボタン１７等が設けられ、また操作パネル部１１の前面側に、図柄表示リール５ａ〜５ｃの回転を開始させるためのスタートレバー１８、回転中の図柄表示リール５ａ〜５ｃを夫々個別に停止させるためのストップボタン１９ａ〜１９ｃ等が設けられている。
【００１７】
なお、操作パネル上面板１１ａは、例えば前下がりの傾斜状に形成されており、投入口部材１３はその右端側近傍に配置されている。
【００１８】
また、投入口部材１３は、表示パネル部１０の前側近傍に配置されており、表示パネル部１０側には、投入口部材１３の後側に対応する部分に発光手段２０が設けられている。この発光手段２０は、図７に示すように、表示パネル部１０の透明板１０ａの後側に配置されたランプ２１等の発光源を備え、例えば当該スロットマシンの通電中は常に所定色で発光するようになっている。
【００１９】
前面パネル３の下端部前側には、メダル払い出し装置７から払い出されたメダル等を前側に排出するための排出口２２が設けられ、その前側に、排出口２２から排出されたメダルを受けるメダル受け皿２３が横長状に配置されている。
【００２０】
前面パネル３の裏側には、メダル投入口１２の下流側に、メダル投入口１２に投入されたメダルの選別を行うメダル選別手段２４が設けられている。このメダル選別手段２４は、メダル投入口１２に投入されたメダルが適正か否かを判別して、不適正メダルは返却通路２５、排出口２２を介してメダル受け皿２３に返却し、適正メダルのみを計数してメダルホッパー８に収容させるように構成されている。
【００２１】
続いて、投入口部材１３の構成について図３乃至図８を参照しつつ詳述する。投入口部材１３は、例えばステンレス鋼等の金属製で、別体に形成された第１部材３１と第２部材３２とを前後に組み合わせることにより構成され、それら第１部材３１と第２部材３２との間に断面横長状のメダル投入口１２が下向きに形成されており、図７，図８に示すように、その下部側を操作パネル上面板１１ａに形成された装着孔３３に嵌合させた状態で前面パネル３側に着脱自在に固定されている。
【００２２】
第１部材３１は、図５，図６等に示すように、操作パネル上面板１１ａの上側に配置される本体部３４と、この本体部３４の下側に一体に形成され且つ装着孔３３内に上側から挿入され、固定される支持部３５とを一体に備えている。
【００２３】
本体部３４は、メダル投入口１２の前側に沿って略鉛直に配置された後壁部４１と、この後壁部４１の前側に配置され且つ正面視略Ｕ字型の曲面状に形成された凹壁部４２と、後壁部４１の前側に凹壁部４２の外縁部を取り囲むようにこの凹壁部４２の外縁部と操作パネル上面板１１ａとの間に配置される周壁部４３とで構成されている。
【００２４】
凹壁部４２は、その下端側が操作パネル上面板１１ａに沿って前下がりの傾斜状に形成されており（図７参照）、その上面側が、多数のメダルを前後方向に重ねた状態で前後方向摺動自在に保持可能な前部ガイド溝４５を構成している。この前部ガイド溝４５は、メダルの外径に対応する部分円筒面に形成された摺動案内部４６と、この摺動案内部４６の左右両端側から夫々斜め上向きに延設された略平面状の傾斜誘導部４７とで構成されている。傾斜誘導部４７は、摺動案内部４６の左右に滑らかに接続されており、その上向きの開き角は例えば９０度程度となっている。また、摺動案内部４６には、その円筒面の軸方向、即ち前後方向に沿った細長状の溝４４が、周方向に所定間隔をあけて複数本形成されている。
【００２５】
周壁部４３は、下開きの略球面状に形成されており、その左右の後端部４３ａは、後壁部４１よりも後側に突出している。また、周壁部４３と凹壁部４２との境界部、即ち前部ガイド溝４５の外縁部４５ａは、図４に示すように平面視略Ｕ字状となっており、その左後端側には、後述する覆い部材６３の左端側に対応する前向きのスリット４８が形成されている。
【００２６】
なお、後壁部４１の左右両端側には、第２部材３２側との連結用のネジ孔４９が形成されている。
【００２７】
支持部３５は、本体部３４側の後壁部４１の左右方向略中央部分から下向きに延設された投入口前壁部５１と、この投入口前壁部５１の左右両縁部から本体部３４の前後方向略中央位置まで前向きに延設された側壁部５２と、この側壁部５２の左右両縁部から本体部３４の左右両端部近傍まで左右方向外向きに延設された固定壁部５３とで構成されている。
【００２８】
投入口前壁部５１は、本体部３４側の後壁部４１と共にメダル投入口１２の前壁を構成するもので、少なくともメダルの外径よりも大きな横幅に形成されている。また、後壁部４１の背面側から投入口前壁部５１の背面側にかけて、メダル投入口１２に対応する極浅い投入口前部溝５４が形成されている。投入口前部溝５４は、投入口前壁部５１に対応する下部溝５４ｂが後壁部４１に対応する上部溝５４ａよりも若干深く形成されると共に、その下部溝５４ｂは、深さ及び左右方向幅が共に下部側ほど大きくなるようにテーパー状に形成されている。
【００２９】
固定壁部５３には、当該第１部材３１を前面パネル３側に固定するための固定孔５５が、例えば左右１個ずつ設けられている。
【００３０】
第２部材３２は、図５，図６等に示すように、メダル投入口１２の後側に沿って操作パネル上面板１１ａの上側に立設される後部ガイド板６１と、この後部ガイド板６１の下側に一体に形成され且つ装着孔３３内に上側から挿入される案内通路部６２と、後部ガイド板６１の上縁側に沿って配置される覆い部材６３とを一体に備えている。
【００３１】
後部ガイド板６１は、第１部材３１側の本体部３４の後側に対応し、その上縁側が後壁部４１の左右両端側の上縁に沿う略円弧状を呈する正面視かまぼこ型に形成されている。
【００３２】
案内通路部６２は、第１部材３１側の支持部３５の後側に対応し、後部ガイド板６１の左右方向略中央部分から下向きに延設されている。
【００３３】
後部ガイド板６１の前面側から案内通路部６２の前面側にかけて、後ろ向き凹入状で且つメダルの厚さよりも若干深い略一定深さの後部案内溝６４が形成されている。この後部案内溝６４は、第１部材３１側の前部ガイド溝４５の内側に対応して上開きの略扇形状に形成された投入案内溝６５と、メダル投入口１２に対応して投入案内溝６５から下向きに延設された投入口後部溝６６とで構成されている。
【００３４】
投入口後部溝６６は、案内通路部６２に対応する下部溝６６ｂが後部ガイド板６１に対応する上部溝６６ａよりも若干深く形成されている。また、その下部溝６６ｂは、深さ及び左右方向幅が共に下部側ほど大きくなるようにテーパー状に形成されており、更にその後側の内壁には、上下方向細長状の溝６７が、左右方向に所定間隔をあけて複数本形成されている。
【００３５】
なお、第１部材３１側の投入口前部溝５４と第２部材３２側の投入口後部溝６６とでメダル投入口１２が形成される。
【００３６】
また、後部ガイド板６１には、メダル投入口１２の上側に対応する位置に、前後に貫通する貫通孔６８が１又は複数形成されている。
【００３７】
覆い部材６３は、メダル投入口１２の上側を略覆うように、後部ガイド板６１の上縁側に沿って前向き突出状に形成されている。覆い部材６３は、後部ガイド板６１の上縁側のうち、例えば投入案内溝６５の上側に対応する範囲に設けられている。即ち、覆い部材６３は、メダル投入口１２の左右両端側近傍を結ぶ正面視略円弧状に形成されている。
【００３８】
また、覆い部材６３は、図４等に示すように、後部ガイド板６１からの前向き突出量が、その右端側から左端側に向けて徐々に大きくなるように平面視略三角形状に形成されている。更に、覆い部材６３の左端側には、屈曲部６３ａを介して所定方向、例えば略下向きに延設された延設部６３ｂが一体に形成されている。
【００３９】
なお、後部ガイド板６１の上縁側で且つ覆い部材６３の外側に対応する位置には、第１部材３１側の周壁部４３の左右の後端部４３ａに対応する切欠部６９が形成されている。更に、後部ガイド板６１上で且つ後部案内溝６４から外れた位置には、第１部材３１側のネジ孔４９に対応する通し孔７０が形成されている。
【００４０】
第１部材３１と第２部材３２とは、第１部材３１側の本体部３４、支持部３５の後側に第２部材３２側の後部ガイド板６１、案内通路部６２が夫々重なるように組み合わされ、ネジ７１を第２部材３２の後側から通し孔７０を介して第１部材３１側のネジ孔４９にねじ込むことにより互いに結合される。
【００４１】
このとき、第２部材３２側の切欠部６９に、第１部材３１側の周壁部４３の後端部４３ａが前側から嵌合し、また第２部材３２側の覆い部材６３の延設部６３ｂが第１部材３１側のスリット４８に後側から嵌合すると共に、第１部材３１側の投入口前部溝５４と第２部材３２側の投入口後部溝６６とで上下方向のメダル投入口１２が形成される。
【００４２】
第１部材３１と第２部材３２とが結合されて一体化された投入口部材１３は、図７等に示すように、その下部側、即ち第１部材３１側の支持部３５、第２部材３２側の案内通路部６２の部分を装着孔３３に上側から嵌合させつつ操作パネル上面板１１ａ上に装着され、固定ネジを固定壁部５３の後側から固定孔５５を介して例えば操作パネル部１１の裏側の取付ボス７３にねじ込むことにより前面パネル３側に固定される。
【００４３】
メダル投入口１２にメダルを投入する際には、図７に示すように、多数のメダルを前後方向に重ねた状態でまとめて前部ガイド溝４５上に乗せ、例えば右手の親指でそれらのメダルを後部ガイド板６１に軽く押しつけるように力を加える。これにより、最後部のメダルが後部ガイド板６１に沿って下側のメダル投入口１２内に順次落下するため、多数のメダルを短時間で連続的に投入することができる。
【００４４】
また、当該スロットマシンの通電中は、発光手段２０が所定色で常時発光しているため、メダル投入操作中など、後部ガイド板６１の前側がメダル等で塞がれている場合を除き、発光手段２０側からの光は後部ガイド板６１の貫通孔６８を前向きに通過し、スロットマシンの前側から見るとあたかも貫通孔６８が光っているように見える。逆に言えば、スロットマシンの前側から見て、貫通孔６８が光っているように見えない場合は、後部ガイド板６１の前側がメダルその他のもので塞がれている状態である。
【００４５】
従って、例えば遊技ホールの店員は、遊技者がメダル投入操作を行っていないにもかかわらず貫通孔６８が光っていない場合には、メダル投入口１２に投入口挿入式不正器具が挿入されている可能性があると一目で判断できるため、投入口挿入式不正器具による不正行為を容易に発見することが可能である。
【００４６】
また、発光手段２０は、図柄表示用の表示窓９ａ〜９ｃが設けられた表示パネル部１０の後側に配置されているため、発光手段２０を他の演出用の発光手段と共に配線でき、また投入口部材１３側には貫通孔６８を設けるだけでよいため、構成の簡素化や組み立て作業の効率化によりコストを抑えられる利点がある。
【００４７】
なお、本実施形態では、更にメダル投入口１２の上側を略覆う覆い部材６３を設けているため、投入口挿入式不正器具をメダル投入口１２に挿入することは物理的に難しく、投入口挿入式不正器具による不正行為をより確実に阻止できる。
【００４８】
図９は本発明の第２の実施形態を例示し、前面パネル３に液晶表示手段８１を配置し、この液晶表示手段８１におけるメダル投入口１２の後側の所定領域により発光手段２０を構成した例を示している。
【００４９】
液晶表示手段８１は、表示パネル部１０（図１参照）の略全体に配置してもよいし、表示パネル部１０の一部に配置してもよいが、少なくともメダル投入口１２の後側を含む所定領域に配置されている必要がある。
【００５０】
また、液晶表示手段８１を表示パネル部１０の略全体に配置する場合には、その液晶表示手段８１とは別の例えば前面パネル３の上部側に図柄表示用の表示窓９ａ〜９ｃ及び表示リールユニット６を配置して、液晶表示手段８１には図柄変動に関連する演出画像等を表示するようにしてもよいし、表示リールユニット６を省略して、液晶表示手段８１により、図柄表示リール５ａ〜５ｃによる図柄変動に相当する表示を行うようにしてもよい。
【００５１】
また、貫通孔６８は、例えば遊技ホールの店員の発光手段２０に向かう目線に合うように前上がりの傾斜状に形成されている。
【００５２】
液晶表示手段８１におけるメダル投入口１２の後側の所定領域（発光手段２０）は、例えば当該スロットマシンの通電中、常に所定色又は所定パターンを表示するようになっている。これにより、メダル投入操作中など、後部ガイド板６１の前側がメダル等で塞がれている場合を除き、スロットマシンの前側から見るとあたかも貫通孔６８が光っているように見える。
【００５３】
従って、第１の実施形態と同様、例えば遊技ホールの店員は、遊技者がメダル投入操作を行っていないにもかかわらず貫通孔６８が光っていない場合には、メダル投入口１２に投入口挿入式不正器具が挿入されている可能性があると一目で判断できるため、投入口挿入式不正器具による不正行為を容易に発見することが可能である。
【００５４】
また、液晶表示手段８１におけるメダル投入口１２の後側の所定領域により発光手段２０を構成しているため、例えば発光手段２０を構成する発光源を別途設ける必要がなく、コストを抑えられる利点がある。
【００５５】
以上、本発明の実施形態について詳述したが、本発明はこれらの実施形態に限定されるものではなく、本発明の趣旨を逸脱しない範囲で種々の変更が可能である。例えば、実施形態では、投入口挿入式不正器具による不正行為をより確実に阻止すべく、その投入口挿入式不正器具の挿入自体を難しくする覆い部材６３を投入口部材１３に一体に設けた例を示したが、この覆い部材６３は省略してもよい。
【００５６】
発光手段２０は、表示パネル部１０の前側で且つ投入口部材１３の後側に配置してもよく、また投入口部材１３の後部側に装着してもよい。
【００５７】
発光手段２０は、連続的に発光させてもよいし、一定パターンで点滅させてもよい。また、必ずしも遊技機の通電中に常に発光させておく必要はなく、例えばデモ中などは消灯させてもよい。
【００５８】
発光手段２０に用いる光源はＬＥＤ等、どのようなものでもよい。また発光手段２０による発光色も任意である。
【００５９】
貫通孔６８を前上がりの傾斜状に形成する点については、第２の実施形態の場合に限られるものではなく、第１の実施形態等、他の実施態様においても採用可能である。
【００６０】
投入口部材１３は、１つの部材で構成してもよく、また３つ以上の部材を組み合わせるように構成してもよい。
【００６１】
なお、実施形態では、本発明をスロットマシンに適用した例を示したが、遊技媒体としてメダルを使用するものであればどのような種類の遊技機においても同様に実施可能であることは言うまでもない。
【符号の説明】
【００６２】
３    前面パネル
９ａ
〜９ｃ  表示窓
１０    表示パネル部
１２    メダル投入口
１３    投入口部材
２０    発光手段
６１    後部ガイド板
６８    貫通孔
８１    液晶表示手段
【図１】
2010042316.tif 000003
【図２】
2010042316.tif 000004
【図３】
2010042316.tif 000005
【図４】
2010042316.tif 000006
【図５】
2010042316.tif 000007
【図６】
2010042316.tif 000008
【図７】
2010042316.tif 000009
【図８】
2010042316.tif 000010
【図９】
2010042316.tif 000011
【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
前面パネル（３）の前側に、下向きに形成された横長状のメダル投入口（１２）と、該メダル投入口（１２）の後側に沿って立設された後部ガイド板（６１）とを有する投入口部材（１３）を配置した遊技機において、前記後部ガイド板（６１）に前後方向の貫通孔（６８）を１又は複数設け、前面パネル（３）側に、前記貫通孔（６８）の後側に対応して発光手段（２０）を設けたことを特徴とする遊技機。
【請求項２】
図柄表示用の表示窓（９ａ）〜（９ｃ）が設けられた表示パネル部（１０）の前側近傍に前記投入口部材（１３）を配置し、前記発光手段（２０）を前記表示パネル部（１０）の後側に配置したことを特徴とする請求項１に記載の遊技機。
【請求項３】
前記前面パネル（３）に液晶表示手段（８１）を配置し、該液晶表示手段（８１）における前記メダル投入口（１２）の後側の所定領域により前記発光手段（２０）を構成したことを特徴とする請求項１又は２に記載の遊技機。